(57)【要約】【課題】  ホールプラグの取り付けのための移動操作に十分な空間が確保できない場合であっても、ホールプラグを適切に取り付けることができるようにする。【解決手段】  閉塞対象穴Ｈを覆う大きさを備えた頭部１の一面から突き出す一対の脚部２、２とを備えている。脚部２は頭部１の一面に掛合面２ｂを向き合わせた掛合部２ａを有している。掛合部２ａの掛合面２ｂを閉塞対象穴Ｈの入れ込み先側にある穴縁部Ｈａに掛合させてこの閉塞対象穴Ｈを頭部１によって閉塞する。一方の脚部２の掛合部２ａにおける掛合面２ｂは、一端をこの掛合部２ａに一体に接合させて側方に向けて突き出す案内片３のこの一端側の面に連続する面となっていると共に、頭部１の他面側には、この頭部１に一端を一体に接合させて案内片３と反対の向きに突き出す把持片４が設けられている。【選択図】          図１
2005036868.tif 000002
【特許請求の範囲】
【請求項１】
閉塞対象穴を覆う大きさを備えた板状の頭部と、この頭部の一面から突き出す一対の脚部とを備えており、
一方の脚部は他方の脚部に向き合わない側に、他方の脚部は一方の脚部に向き合わない側に、それぞれ、頭部の一面に掛合面を向き合わせた掛合部を有しており、この掛合部の掛合面を閉塞対象穴の入れ込み先側にある穴縁部に掛合させてこの閉塞対象穴を頭部によって閉塞するホールプラグであって、
一方の脚部の掛合部における掛合面は、一端をこの掛合部に一体に接合させて側方に向けて突き出す案内片のこの一端側の面に連続する面となっていると共に、
頭部の他面側には、この頭部に一端を一体に接合させて前記案内片と反対の向きに突き出す把持片が設けられていることを特徴とするホールプラグ。
【請求項２】
案内片が、その突き出し端に近づくに連れて次第に頭部の一面のレベルから離れ出す向きに傾斜状に突き出されていることを特徴とする請求項１記載のホールプラグ。
【請求項３】
把持片が、その突き出し端に近づくに連れて次第に頭部の他面のレベルから離れ出す向きに傾斜状に突き出されていることを特徴とする請求項１又は請求項２記載のホールプラグ。
【請求項４】
頭部の他面との間に間隔を開け、かつ、一面をこの頭部の他面に向けた把持板部が、把持片の他端側に一体に接合されていることを特徴とする請求項１から請求項３のいずれか１項に記載のホールプラグ。
【請求項５】
頭部における案内片のほぼ直下位置に、一端を頭部に一体に連接させてこの案内片と反対の向きに傾斜状に突き出す支持片が設けられていることを特徴とする請求項１から請求項４のいずれか１項に記載のホールプラグ。
【請求項６】
頭部における一対の脚部の掛合部がそれぞれ位置される第一仮想直線にほぼ直交する第二仮想直線上に、頭部の一面から突き出す一対の弾性突起が設けられていると共に、
一対の脚部の掛合部がそれぞれ位置される第一仮想円の直径が、この第一仮想円と同心で、かつ、前記一対の弾性突起の突き出し端がそれぞれ位置される第二仮想円の直径よりも小さくなるようにしてあることを特徴とする請求項１から請求項５のいずれか１項に記載のホールプラグ。
【発明の詳細な説明】
【技術分野】
【０００１】
この発明は、各種のパネルなどに貫通状態に形成されている穴のうち、利用する必要なのない穴などを閉塞対象穴として塞ぐために用いられるホールプラグの改良に関する。
【背景技術】
【０００２】
ホールプラグと称されるものがある。これは、各種のパネルなどに貫通状態に形成されている穴のうち、利用する必要なのない穴などを塞ぐために用いられるものである。かかるホールプラグは、こうした穴への入れ込み部と頭部とを有し、この入れ込み部を穴に入れ込まれて掛合させることにより、かかる穴を塞ぐものである。こうしたホールプラグとしては、特許文献１に示されるものなどがある。
【０００３】
しかるに、かかる従来のホールプラグは、塞ごうとする穴の穴軸線に沿った向きにこの穴に対して入れ込み部を入れ込ませて前記掛合をなすスタイルのものであった。このため、塞ごうとする穴の下方や上方や側方に、他の部材やパネルなどのホールプラグを閉塞対象穴の穴軸線に沿う向きに移動させてこの穴にホールプラグの入れ込み部を入れ込ませる操作を行い難くする障害物や不能とする障害物がある場合には、かかる穴の閉塞をなせないか、なし難いものとしてしまうものであった。
【特許文献１】特開平８−３０２７７０号公報
【発明の開示】
【発明が解決しようとする課題】
【０００４】
この発明が解決しようとする問題点は、主として、閉塞対象穴の下方や上方や側方に、この閉塞対象穴の穴軸線に沿った向きでのホールプラグの取り付けのための移動操作に十分な空間が確保できない場合であっても、かかる閉塞対象穴にホールプラグを適切に取り付けることができるようにする点にある。
【課題を解決するための手段】
【０００５】
前記問題点を解決するために、この発明は、ホールプラグが以下の（１）〜（４）の構成を備えたものとした。
（１）閉塞対象穴を覆う大きさを備えた板状の頭部と、この頭部の一面から突き出す一対の脚部とを備えており、
（２）一方の脚部は他方の脚部に向き合わない側に、他方の脚部は一方の脚部に向き合わない側に、それぞれ、頭部の一面に掛合面を向き合わせた掛合部を有しており、この掛合部の掛合面を閉塞対象穴の入れ込み先側にある穴縁部に掛合させてこの閉塞対象穴を頭部によって閉塞するホールプラグであって、
（３）一方の脚部の掛合部における掛合面は、一端をこの掛合部に一体に接合させて側方に向けて突き出す案内片のこの一端側の面に連続する面となっていると共に、
（４）頭部の他面側には、この頭部に一端を一体に接合させて前記案内片と反対の向きに突き出す把持片が設けられている。
【０００６】
かかるホールプラグにあっては、一対の脚部の掛合部間の寸法よりも穴径をやや小さくする箇所を持った閉塞対象穴に対して、この一対の脚部を入れ込ませる操作をなすことにより、
この入れ込みに伴ってかかる一対の脚部の掛合部間の寸法を脚部側の弾性変形によりやや狭めさせてこの一対の脚部の閉塞対象穴への入れ込みを許容させると共に、
この閉塞対象穴に一対の脚部を入れ込み切った位置においての弾性復帰によって、この閉塞対象穴における脚部の入れ込み先側にある穴縁部にこの脚部の掛合部を掛合させてこの閉塞対象穴を脚部の入れ込み手前側において頭部によって閉塞させることができる。
【０００７】
また、閉塞対象穴の入れ込み手前側の穴縁部の下方や上方や側方に、他の部材やパネルなどのホールプラグを閉塞対象穴の穴軸線に沿う向きに移動させてこの閉塞対象穴にホールプラグの脚部を入れ込ませる操作を行い難くする障害物や不能とする障害物がある場合であっても、かかる閉塞対象穴に対して容易に一対の脚部を入れ込ませて掛合させ、頭部をもってこの閉塞対象穴を適切に塞ぐようにすることができる。
【０００８】
すなわち、把持片を把持して閉塞対象穴と障害物との間の隙間に案内片の側を先にして頭部を入れ込ませると共に、このように入れ込ませた案内片を閉塞対象穴に入れ込ませることにより、先ず、この閉塞対象穴の入れ込み先側の穴縁部に把持片の設けられている一方の脚部の掛合部を掛合させることができる。つまり、一方の脚部の掛合部における掛合面は、案内片における掛合部の一端側の面に続く面となっていることから、案内片を閉塞対象穴の入れ込み先側の穴縁部に接しさせながらこの案内片を入れ込んで行くことにより、この案内片を入れ込みきった位置でこの一方の脚部の掛合部における掛合面を閉塞対象穴の入れ込み先側の穴縁部に掛合させることができる。次いで、このように一方の脚部の掛合部における掛合面を閉塞対象穴の入れ込み先側の穴縁部に掛合させた状態から、頭部における他方の脚部が設けられた側を閉塞対象穴の入れ込み手前側の穴縁部に近づけるように、把持片の把持により移動操作させることができ、この操作によって他方の脚部を閉塞対象穴に入れ込ませ、この他方の脚部の掛合部における掛合面を閉塞対象穴の入れ込み先側の穴縁部に掛合させることができる。これにより、一対の脚部の掛合部をそれぞれ閉塞対象穴における入れ込み先側の穴縁部に掛合させて、頭部によってこの閉塞対象穴を安定的に塞ぐことができる。
【０００９】
前記ホールプラグにおける案内片は、その突き出し端に近づくに連れて次第に頭部の一面のレベルから離れ出す向きに傾斜状に突き出されているようにすることができる。
【００１０】
このようにした場合、案内片を閉塞対象穴に入れ込ませることに伴って自然に頭部を傾かせることができ、案内片の設けられた一方の脚部の掛合部が閉塞対象穴の入れ込み先側の穴縁部に掛合されるまでの間、ことさら頭部を傾かせるように操作させなくとも、他方の脚部が閉塞対象穴に入り込むなどしないようにでき、この一方の脚部の掛合部を閉塞対象穴の入れ込み先側の穴縁部に先に掛合させる作業を行いやすくすることができる。
【００１１】
また、前記ホールプラグにおける把持片は、その突き出し端に近づくに連れて次第に頭部の他面のレベルから離れ出す向きに傾斜状に突き出されているようにすることができる。
【００１２】
このようにした場合、案内片の設けられた一方の脚部の掛合部を閉塞対象穴の入れ込み先側の穴縁部に掛合させた後の、他方の脚部の掛合部をこの穴縁部に掛合させるための頭部を移動させるための把持片の操作スペースを、閉塞対象穴の形成されたパネルなどの面と把持片との間に適切に確保させることができる。
【００１３】
また、前記ホールプラグにおいて、頭部の他面との間に間隔を開け、かつ、一面をこの頭部の他面に向けた把持板部が、把持片の他端側に一体に接合されているようにすることもできる。
【００１４】
このようにした場合、この把持板部の一面と他面とを指で挟み込むようにして把持片を手指で支持することができ、把持片を使ったホールプラグの取り付け操作を一層容易になすことができる。
【００１５】
また、前記ホールプラグにおいて、頭部における案内片のほぼ直下位置に、一端を頭部に一体に連接させてこの案内片と反対の向きに傾斜状に突き出す支持片が設けられているようにすることもできる。
【００１６】
このようにした場合、案内片を閉塞対象穴に入れ込ませてこの案内片の設けられている一方の脚部の掛合部をこの閉塞対象穴の入れ込み先側の穴縁部に掛合させた後の、他方の脚部の掛合部を閉塞対象穴内に入れ込ませる頭部の移動操作を、この支持片をこのように一方の脚部の掛合部が掛合されている側の閉塞対象穴の入れ込み手前側の穴縁部に押し当てながらこの支持片を支点としてなすことができ、この他方の脚部の掛合部を閉塞対象穴内に入れ込ませる操作を容易に行えるようにすることができる。
【００１７】
また、前記ホールプラグにおいて、
頭部における一対の脚部の掛合部がそれぞれ位置される第一仮想直線にほぼ直交する第二仮想直線上に、頭部の一面から突き出す一対の弾性突起が設けられていると共に、
一対の脚部の掛合部がそれぞれ位置される第一仮想円の直径が、この第一仮想円と同心で、かつ、前記一対の弾性突起の突き出し端がそれぞれ位置される第二仮想円の直径よりも小さくなるようにしておくこともできる。
【００１８】
このようにした場合、閉塞対象穴が一対の脚部の掛合部がそれぞれ引っかかる短辺側と、弾性突部を弾性変形させることなく入り込ませる長辺側とを備えた長穴状をなしている場合において、ホールプラグにこの閉塞対象穴内において穴軸を中心とした回転方向の力が作用された際に、弾性突起の側部をこの閉塞対象穴の穴内壁に突き当てさせて、こうした力の作用によってホールプラグの取り付け位置がズレてしまわないようにすることができる。
【発明の効果】
【００１９】
この発明にかかるホールプラグによれば、ホールプラグによって閉塞しようとする閉塞対象穴の下方や上方や側方に、この閉塞対象穴の穴軸線に沿った向きでのホールプラグの取り付けのための移動操作に十分な空間が確保できない場合であっても、かかる閉塞対象穴にホールプラグを適切に取り付けることができる。
【発明を実施するための最良の形態】
【００２０】
以下、図１ないし図１１に基づいて、この発明の典型的な実施の形態について説明する。
【００２１】
なお、ここで図１は、閉塞対象穴Ｈに実施の形態にかかるホールプラグＰの一対の脚部２、２の一方を先に入れ込ませ掛合させた中間状態を、図２は、図１の状態からホールプラグＰの頭部における一対の脚部２、２の他方の形成側を持ち上げ、この他方の脚部２をさらに閉塞対象穴Ｈに入れ込ませ掛合させた最終状態を、それぞれ示している。図３ないし図７は、かかるホールプラグＰをそれぞれ示している。また、図８および図９は、長穴状をなす閉塞対象穴ＨにホールプラグＰを取り付けた様子を、さらに、図１０および図１１は、丸穴状をなす閉塞対象穴ＨにホールプラグＰを取り付けた様子を、それぞれ示している。
【００２２】
この実施の形態にかかるホールプラグＰは、各種のパネルなどに貫通状態に形成されている穴のうち、典型的には、自動車のボディパネルなどに貫通状態に形成されている穴のうち、利用する必要なのない穴などを閉塞対象穴Ｈとして塞ぐために用いられるものである。
【００２３】
かかるホールプラグＰは、閉塞対象穴Ｈを覆う大きさを備えた板状の頭部１と、この頭部１の一面から突き出す一対の脚部２、２とを備えている。
【００２４】
図示の例にあっては、かかる頭部１は、平面視の状態において小判型の外郭形状を持つように構成されている。
【００２５】
一対の脚部２、２は、かかる頭部１の一面において、この頭部１の中心をほぼ通り、かつ、この頭部１の短辺方向に沿った仮想の直線（以下、第一仮想直線ｘと称する。）上に、この中心との間にほぼ等しい間隔を開けるようにして、位置づけられている。（図５）
【００２６】
また、一方の脚部２は他方の脚部２に向き合わない側に、他方の脚部２は一方の脚部２に向き合わない側に、それぞれ、頭部１の一面に掛合面２ｂを向き合わせた掛合部２ａを有している。
【００２７】
そして、かかるホールプラグＰは、この掛合部２ａの掛合面２ｂを閉塞対象穴Ｈの入れ込み先側にある穴縁部Ｈａに掛合させてこの閉塞対象穴Ｈを頭部１によって閉塞するように構成されている。
【００２８】
図示の例にあっては、一対の脚部２、２はそれぞれ、前記頭部１の長辺方向に板面を沿わせた帯板状をなすように構成されており、一端を頭部１の一面に一体に接合させて、この頭部１にほぼ直交する向きに突き出すように構成されている。
【００２９】
また、かかる脚部２は、頭部１との接合側と反対の側において湾曲されて、頭部１の一面側に他端を向けるように形成されており、この湾曲箇所２ｃから先の部分を、この湾曲箇所２ｃを中心として弾性変形可能とするように構成されている。すなわち、かかる脚部２は、前記湾曲箇所２ｃより先の部分を、脚部２の基部から湾曲箇所２ｃまでの間の真っ直ぐに突き出した部分に近づける向きに弾性変形可能に構成されている。
【００３０】
この脚部２における湾曲箇所２ｃより先にある他端部に、末端部２ｄとの間に間隔を開けて、頭部１の一面に向き合った前記掛合面２ｂが形成されており、この掛合面２ｂの形成箇所が前記掛合部２ａとして機能するようにしてある。図示の例では、末端部２ｄは脚部２における前記真っ直ぐに突き出した部分とほぼ平行をなすように形成されている。掛合面２ｂは、この末端部２ｄの上方に位置され、末端部２ｄの接合側から離れるに従って次第に側方に向かう傾斜面状をなすように構成されている。図示の例では、閉塞対象穴Ｈにおける入れ込み先側の穴縁部Ｈａに続く穴内壁に末端部２ｄを接しさせた状態で、この穴縁部Ｈａに掛合面２ｂを掛合させるようになっている。（図２）掛合面２ｂは、前記のような傾斜を持っていることから、閉塞対象穴Ｈの入れ込み先側の穴縁部Ｈａと入れ込み手前側の穴縁部Ｈｂとの間の寸法が若干変化しても、この寸法の変化が、掛合面２ｂと末端部２ｄとの接し合う箇所から掛合面２ｂがこの末端部２ｄから最も離れだしている箇所、つまり、掛合面２ｂの終端までの間隔の範囲内のものであれば、閉塞対象穴Ｈにおける入れ込み先側の穴縁部Ｈａに適切に掛合面２ｂを掛合させることが可能となっている。
【００３１】
すなわち、かかるホールプラグＰにあっては、一対の脚部２、２の掛合部２ａ間の寸法よりも穴径をやや小さくする箇所を持った閉塞対象穴Ｈに対して、この一対の脚部２、２を入れ込ませる操作をなすことにより、
この入れ込みに伴ってかかる一対の脚部２、２の掛合部２ａ間の寸法を脚部２側の弾性変形によりやや狭めさせてこの一対の脚部２、２の閉塞対象穴Ｈへの入れ込みを許容させると共に、
この閉塞対象穴Ｈに一対の脚部２、２を入れ込み切った位置においての弾性復帰によって、この閉塞対象穴Ｈにおける脚部２の入れ込み先側にある穴縁部Ｈａにこの脚部２の掛合部２ａを掛合させてこの閉塞対象穴Ｈを脚部２の入れ込み手前側において頭部１によって閉塞させることができる。
【００３２】
また、かかるホールプラグＰにあっては、前記一方の脚部２の掛合部２ａにおける掛合面２ｂは、一端をこの掛合部２ａに一体に接合させて側方に向けて突き出す案内片３のこの一端側の面に連続する面となっている。
【００３３】
図示の例にあっては、かかる案内片３は、帯板状をなすように構成されており、その一面を頭部１の一面側に向けるようにして、その一端を一方の脚部２における湾曲箇所２ｃより先の位置に一体に接合させている。図示の例にあっては、かかる案内片３は、前記第一仮想直線ｘにほぼ沿って、側方に突き出すように構成されている。
【００３４】
また、かかるホールプラグＰにあっては、前記頭部１の他面側には、この頭部１の他面に一端を一体に接合させて前記案内片３と反対の向きに突き出す把持片４が設けられている。
【００３５】
図示の例にあっては、かかる把持片４は、前記第一仮想直線ｘにほぼ沿って、案内片３の突き出し方向と反対の方向に突き出すように構成されている。図示の例では、把持片４の一端は、頭部１における前記一方の脚部２の形成側と反対の頭部１の縁部においてこの頭部１に接合されている。
【００３６】
これにより、かかるホールプラグＰによれば、閉塞対象穴Ｈの入れ込み手前側の穴縁部Ｈｂの下方や上方や側方に、他の部材やパネルなどのホールプラグＰを閉塞対象穴Ｈの穴軸線に沿う向きに移動させてこの閉塞対象穴ＨにホールプラグＰの脚部２を入れ込ませる操作を行い難くする障害物Ｂや不能とする障害物Ｂがある場合であっても、かかる閉塞対象穴Ｈに対して容易に一対の脚部２、２を入れ込ませて掛合させ、頭部１をもってこの閉塞対象穴Ｈを適切に塞ぐようにすることができる。
【００３７】
すなわち、把持片４を把持して閉塞対象穴Ｈと障害物Ｂとの間の隙間に案内片３の側を先にして頭部１を入れ込ませると共に、このように入れ込ませた案内片３を閉塞対象穴Ｈに入れ込ませることにより、先ず、この閉塞対象穴Ｈの入れ込み先側の穴縁部Ｈａに把持片４の設けられている一方の脚部２の掛合部２ａを掛合させることができる。つまり、一方の脚部２の掛合部２ａにおける掛合面２ｂは、案内片３における掛合部２ａの一端側の面に続く面となっていることから、案内片３を閉塞対象穴Ｈの入れ込み先側の穴縁部Ｈａに接しさせながらこの案内片３を入れ込んで行くことにより、この案内片３を入れ込みきった位置でこの一方の脚部２の掛合部２ａにおける掛合面２ｂを閉塞対象穴Ｈの入れ込み先側の穴縁部Ｈａに掛合させることができる。（図１）次いで、このように一方の脚部２の掛合部２ａにおける掛合面２ｂを閉塞対象穴Ｈの入れ込み先側の穴縁部Ｈａに掛合させた状態から、頭部１における他方の脚部２が設けられた側を閉塞対象穴Ｈの入れ込み手前側の穴縁部Ｈｂに近づけるように、把持片４の把持により移動操作させることができ、この操作によって他方の脚部２を閉塞対象穴Ｈに入れ込ませ、この他方の脚部２の掛合部２ａにおける掛合面２ｂを閉塞対象穴Ｈの入れ込み先側の穴縁部Ｈａに掛合させることができる。これにより、一対の脚部２、２の掛合部２ａをそれぞれ閉塞対象穴Ｈにおける入れ込み先側の穴縁部Ｈａに掛合させて、頭部１によってこの閉塞対象穴Ｈを安定的に塞ぐことができる。（図２）
【００３８】
図示の例では、閉塞対象穴Ｈの下方に障害物Ｂがあり、両者の隙間に、把持片４を把持して側方から頭部１を入れ込ませた後、閉塞対象穴Ｈに頭部１を斜めにした状態で案内片３を入れ込ませて一方の脚部２の掛合部２ａを掛合させ、（図１）この後、頭部１を水平にするように操作して、この閉塞対象穴Ｈにさらに他方の脚部２の掛合部２ａを掛合させるようにしている。（図２）
【００３９】
図示の例では、前記案内片３は、その突き出し端３ａに近づくに連れて次第に頭部１の一面のレベルから離れ出す向きに傾斜状に突き出された構成となっている。
【００４０】
これにより、図示の例では、案内片３を閉塞対象穴Ｈに入れ込ませることに伴って自然に頭部１を傾かせることができ、案内片３の設けられた一方の脚部２の掛合部２ａが閉塞対象穴Ｈの入れ込み先側の穴縁部Ｈａに掛合されるまでの間、ことさら頭部１を傾かせるように操作させなくとも、他方の脚部２が閉塞対象穴Ｈに入り込むなどしないようにでき、この一方の脚部２の掛合部２ａを閉塞対象穴Ｈの入れ込み先側の穴縁部Ｈａに先に掛合させる作業を行いやすくすることができる。
【００４１】
図示の例ではさらに、案内片３の突き出し端３ａ側は、より頭部１の一面のレベルとの間での傾斜角を大きくするように傾斜されており、閉塞対象穴Ｈが黙視し難い場合でも、この案内片３の突き出し端３ａを閉塞対象穴Ｈの形成されているパネルなどの面に突き当てさせながら閉塞対象穴Ｈを探り、案内片３の突き出し端が入り込んだ位置から前記操作をすることによって、この閉塞対象穴ＨにホールプラグＰを取り付けさせることができるようになっている。
【００４２】
また、図示の例にあっては、前記把持片４は、その突き出し端に近づくに連れて次第に頭部１の他面のレベルから離れ出す向きに傾斜状に突き出された構成となっている。
【００４３】
これにより、図示の例では、案内片３の設けられた一方の脚部２の掛合部２ａを閉塞対象穴Ｈの入れ込み先側の穴縁部Ｈａに掛合させた後の、他方の脚部２の掛合部２ａをこの穴縁部に掛合させるための頭部１を移動させるための把持片４の操作スペースを、閉塞対象穴Ｈの形成されたパネルなどの面と把持片４との間に適切に確保させることができる。
【００４４】
また、図示の例にあっては、頭部１の他面との間に間隔を開け、かつ、一面をこの頭部１の他面に向けた把持板部４ａが、把持片４の他端側に一体に接合されている。
【００４５】
具体的には、図示の例にあっては、把持板部４ａは、
（１）頭部１の長辺方向に長く延びる長辺部４ｂと、
（２）この長辺部４ｂに対向する辺部であって、この長辺部４ｂにほぼ平行をなす短辺部４ｃと、
（３）長辺部４ｂと短辺部４ｃとの間に亘る両側辺部４ｄ、４ｄとを備えている。
【００４６】
そして、この把持板部４ａの短辺部４ｃに把持片４の他端側、つまり、頭部１との連接側と反対の端部が一体に連接されている。
【００４７】
図示の例では、把持板部４ａは、把持片４との間に鋭角を形成するようにして、この把持片４の他端側から突き出されるように設けられており、その一面を頭部１の他面に向けるように備えられている。
【００４８】
また、図示の例にあっては、把持板部４ａの両側辺部４ｄ、４ｄは、それぞれ、長辺部４ｂの側において把持片４の突き出し方向に沿った真っ直ぐな辺を持つようになっていると共に、途中から把持板部４ａの幅を短辺部４ｃの長さに近づけるように次第に湾曲した辺を持つようになっている。
【００４９】
これにより、図示の例にあっては、この把持板部４ａの一面と他面とを指で挟み込むようにして把持片４を手指で支持することができ、把持片４を使ったホールプラグＰの取り付け操作を一層容易になすことができるようになっている。
【００５０】
また、図示の例にあっては、頭部１における案内片３のほぼ直下位置に、一端を頭部１に一体に連接させてこの案内片３と反対の向きに傾斜状に突き出す支持片５が設けられている。
【００５１】
具体的には、図示の例にあっては、支持片５は、前記第一仮想直線ｘに沿って、頭部１における案内片３の直下位置に一端を一体に接合させて側方に突き出す短い帯板状をなすように構成されている。
【００５２】
これにより、図示の例にあっては、案内片３を閉塞対象穴Ｈに入れ込ませてこの案内片３の設けられている一方の脚部２の掛合部２ａをこの閉塞対象穴Ｈの入れ込み先側の穴縁部Ｈａに掛合させた後の、他方の脚部２の掛合部２ａを閉塞対象穴Ｈ内に入れ込ませる頭部１の移動操作を、この支持片５をこのように一方の脚部２の掛合部２ａが掛合されている側の閉塞対象穴Ｈの入れ込み手前側の穴縁部Ｈｂに押し当てながらこの支持片５を支点としてなすことができ、この他方の脚部２の掛合部２ａを閉塞対象穴Ｈ内に入れ込ませる操作を容易に行えるようにすることができる。
【００５３】
また、図示の例にあっては、頭部１における一対の脚部２、２の掛合部２ａがそれぞれ位置される第一仮想直線ｘにほぼ直交する第二仮想直線ｙ上に、頭部１の一面から突き出す一対の弾性突起６、６が設けられていると共に、
一対の脚部２、２の掛合部２ａがそれぞれ位置される第一仮想円ｒ１の直径が、この第一仮想円ｒ１と同心で、かつ、前記一対の弾性突起６、６の突き出し端がそれぞれ位置される第二仮想円ｒ２の直径よりも小さくなるようにしてある。
【００５４】
具体的には、図示の例にあっては、第一仮想直線ｘに対し頭部１の中心でほぼ交叉しこの第一仮想直線ｘとの間に直角を形成させる第二仮想直線ｙ上にそれそれ弾性突起６が設けられている。
【００５５】
一対の弾性突起６、６は、頭部１の中心との間にそれぞれほぼ等しい間隔を開けて形成されている。
【００５６】
また、一対の弾性突起６、６はそれぞれ、頭部１の中心から前記第二仮想直線ｙに沿って延びる一対の第一割溝６ａ、６ａと、この一対の第一割溝６ａ、６ａにおける頭部１の縁部側に位置される溝端間に亘る第二割溝６ｂとによって頭部１の他部と区分された弾性変形可能な頭部１の一部６ｃの自由端側に形成されている。具体的には、この頭部１の一部６ｃは、その基部側を中心として、頭部１の肉厚方向において弾性変形可能に構成されており、これにより、弾性突起６に弾性変形機能が付与されるようになっている。この頭部１の一部６ｃの基部には、頭部１の一面側において、この一部６ｃの幅方向に亘って溝が形成されており、この溝によってこの一部６ｃの基部にこの基部を中心とした弾性変形を容易ならしめる薄肉部が形成されている。
【００５７】
これにより、図示の例にあっては、閉塞対象穴Ｈが一対の脚部２、２の掛合部２ａがそれぞれ引っかかる短辺側と、弾性突部を弾性変形させることなく入り込ませる長辺側とを備えた長穴状をなしている場合において、ホールプラグＰにこの閉塞対象穴Ｈ内において穴軸を中心とした回転方向の力が作用された際に、弾性突起６の側部６ｄをこの閉塞対象穴Ｈの穴内壁に突き当てさせて、こうした力の作用によってホールプラグＰの取り付け位置がズレてしまわないようにすることができる。（図８、図９）
【００５８】
閉塞対象穴Ｈが、一対の脚部２、２の掛合部２ａはそれぞれ引っかかり可能であるが、一対の弾性突起６、６は入り込めない穴径の穴である場合には、弾性突起６は閉塞対象穴Ｈの形成されているパネルなどの面に押し込まれて弾性変形され、一対の脚部２、２の掛合部２ａによる閉塞対象穴ＨへのホールプラグＰの取り付け状態に支障を生じさせることはない。（図１０、図１１）
【００５９】
なお、以上に説明したホールプラグＰにおける弾性変形機能を備えた部分へのこの機能の付与は、典型的には、かかるホールプラグＰをプラスチックの射出成型品として形成することにより容易に確保することができる。
【図面の簡単な説明】
【００６０】
【図１】ホールプラグＰの取り付け過程を示した側面図
【図２】ホールプラグＰを取り付けた状態を示した側面図
【図３】ホールプラグＰの斜視図
【図４】同底面図
【図５】同平面図
【図６】同側面図
【図７】図６と異なる向きから見たホールプラグＰの側面図
【図８】ホールプラグＰの取り付け状態を示した平面図（長穴の場合）
【図９】図８におけるＡ−Ａ線断面図
【図１０】ホールプラグＰの取り付け状態を示した平面図（丸穴の場合）
【図１１】図１０おけるＢ−Ｂ線断面図
【符号の説明】
【００６１】
Ｈ  閉塞対象穴
１  頭部
２  脚部
２ａ  掛合部
２ｂ  掛合面
３  案内片
４  把持片
【図１】
2005036868.tif 000003
【図２】
2005036868.tif 000004
【図３】
2005036868.tif 000005
【図４】
2005036868.tif 000006
【図５】
2005036868.tif 000007
【図６】
2005036868.tif 000008
【図７】
2005036868.tif 000009
【図８】
2005036868.tif 000010
【図９】
2005036868.tif 000011
【図１０】
2005036868.tif 000012
【図１１】
2005036868.tif 000013